(57)【要約】【課題】  環境に優しく高効率で容易に加湿した高温風の送出を行う加湿温風機を提供すること。【解決手段】  本発明の加湿温風機１０は、外部より送入の水道水を純化する純水器１１と、外部より送入の空気に純水器１１よりの純水をノズルにより霧状に噴射して混合し加湿空気とするノズル噴霧式の加湿器２０と、ノズル噴霧式の加湿器２０により生成した加湿空気を加熱し加湿加熱空気とする加熱ダクト３０と、加熱ダクト３０よりの加湿加熱空気を加湿温風として送出する送出ファン３３とを備え、加湿した高温風の送出を行うこととした。【選択図】図１
2016125804.tif 000002
【特許請求の範囲】
【請求項１】
外部より送入の送入水を霧状にして外部より送入の空気に混合し加湿空気とする加湿器と、前記加湿器よりの加湿空気を加熱し加湿加熱空気とする加熱ダクトと、前記加熱ダクトよりの加湿加熱空気を加湿温風として送出する送出ファンとを備えることを特徴とする加湿温風機。
【請求項２】
前記加熱ダクトは、垂直に設けるとともに、内部にコイル形の加熱器を少なくとも１個垂直方向に備えたことを特徴とする請求項１に記載の加湿温風機。
【請求項３】
前記加熱ダクトは、垂直に設けるとともに、内部にコイル形の加熱器を少なくとも１個水平方向に備えたことを特徴とする請求項１に記載の加湿温風機。
【請求項４】
前記加熱ダクトは、垂直に設けるとともに、内部にコイルをＭ字形に形成した加熱器を少なくとも１個水平方向または垂直方向に備えたことを特徴とする請求項１に記載の加湿温風機。
【請求項５】
前記外部より送入の送入水を純水とし前記加湿器に送出する純水器を備えたことを特徴とする請求項１に記載の加湿温風機。
【請求項６】
前記加湿器は、前記外部より送入の空気に前記送入水をノズルにより霧状に噴射するノズル噴霧式の加湿器とすることを特徴とする請求項１に記載の加湿温風機。
【発明の詳細な説明】
【技術分野】
【０００１】  本発明は、環境に優しく高効率で容易に加湿した高温風の送出を行う加湿温風機に関する。
【背景技術】
【０００２】  従来の加湿温風機には、貯留水を加熱して水蒸気を発生させ、発生させた水蒸気を外部より送入の空気に混合して加湿空気とし加熱した加湿温風を送出するものがある（例えば、特許文献１参照）。
【先行技術文献】
【特許文献】
【０００３】
【特許文献１】  特開２０１０−７８２４９号公報
【発明の概要】
【発明が解決しようとする課題】
【０００４】  しかしながら、従来の加湿温風機は、二酸化炭素を発生することがなく環境に優しくすることはできるが、水蒸気を発生させるために貯留水を加熱ヒータで加熱せねばならず、また発生させた水蒸気を外部より送入の空気に混合して加湿空気としさらに別途加熱ヒータで加熱せねばならず複雑構造となっているという問題があった。
本発明は、上記に鑑みてなされたものであって、環境に優しく高効率で容易に加湿した高温風の送出を行う加湿温風機を提供することを目的とする。
【課題を解決するための手段】
【０００５】  本発明の加湿温風機は、外部より送入の送入水を霧状にして外部より送入の空気に混合し加湿空気とする加湿器と、前記加湿器よりの加湿空気を加熱し加湿加熱空気とする加熱ダクトと、前記加熱ダクトよりの加湿加熱空気を加湿温風として送出する送出ファンとを備えることとした。
また、前記加熱ダクトは、垂直に設けるとともに、内部にコイル形の加熱器を少なくとも１個垂直方向に備えることとした。
また、前記加熱ダクトは、垂直に設けるとともに、内部にコイル形の加熱器を少なくとも１個水平方向に備えることとした。
また、前記加熱ダクトは、垂直に設けるとともに、内部にコイルをＭ字形に形成した加熱器を少なくとも１個水平方向または垂直方向に備えることとした。
また、前記外部より送入の送入水を純水とし前記加湿器に送出する純水器を備ることとした。
さらに、前記加湿器は、前記外部より送入の空気に前記送入水をノズルにより霧状に噴射するノズル噴霧式の加湿器とすることとした。
【発明の効果】
【０００６】  本発明の加湿温風機は、外部より送入の送入水を霧状にして外部より送入の空気に混合し加湿空気とする加湿器と、前記加湿器よりの加湿空気を加熱し加湿加熱空気とする加熱ダクトと、前記加熱ダクトよりの加湿加熱空気を加湿温風として送出する送出ファンとを備えることとしたため、環境に優しく高効率で容易に加湿した高温風の送出を行うことが出来る。
また、前記加熱ダクトは、垂直に設けるとともに、内部にコイル形の加熱器を少なくとも１個垂直方向に備えることとしたため、簡潔容易に加湿加熱空気を高効率で効果的に送出することができる。
また、前記加熱ダクトは、垂直に設けるとともに、内部にコイル形の加熱器を少なくとも１個水平方向に備えることとしたため、簡潔容易に加湿加熱空気を高効率で効果的に送出することができる。
また、前記加熱ダクトは、垂直に設けるとともに、内部にコイルをＭ字形に形成した加熱器を少なくとも１個水平方向または垂直方向に備えることとしたため、簡潔容易に加湿加熱空気をより高効率で効果的に送出することができる。
また、前記外部より送入の送入水を純水とし前記加湿器に送出する純水器を備ることとしたため、錆の発生や不純物の付着を防止することができる。
さらに、前記加湿器は、前記外部より送入の空気に前記送入水をノズルにより霧状に噴射するノズル噴霧式の加湿器とすることとしたため、加熱器を使用することなく加湿空気の生成を確実容易に行うことができる。
【図面の簡単な説明】
【０００７】
【図１】  本発明の第１の実施形態のノズル噴霧式の加湿温風機の側面図を示す。
【図２】  本発明の第１の実施形態のノズル噴霧式の加湿温風機に使用するノズル式の加湿器の断面図を示す。
【図３】  本発明の第２の実施形態の遠心噴霧式の加湿温風機の側面図を示す。
【図４】  本発明の第３の実施形態の超音波噴霧式の加湿温風機の側面図を示す。
【図５】  本発明の第４の実施形態の気化噴霧式の加湿温風機の側面図を示す。
【図６】  本発明の加湿温風機に使用する他の実施例の加熱ダクトの断面図を示す。
【図７】  本発明の加湿温風機に使用する他の実施例のＭ型加熱コイル式の加熱ダクトの断面図を示す。
【発明を実施するための形態】
【０００８】  以下、本発明の第１、第２、第３、第４の実施形態の加湿温風機につき説明する。
【実施例１】
【０００９】  図１に示すように、本発明の第１の実施形態のノズル噴霧式の加湿温風機１００は、ノズルにより加湿空気を生成し加熱するもので、純水器１１よりの純水よりノズルにより加湿空気を生成し送出するノズル式の加湿器２０と、ノズル式の加湿器２０より送出の加湿空気を加熱し加湿加熱空気を送出する加熱ダクト３０と、加熱ダクト３０の上方に設けられ加湿加熱空気を加湿温風として外部に送出する電動の送出ファン３３とが設けられている。図１では、ノズル式の加湿器２０は断面図を示す。【００１０】  ノズル式の加湿器２０は、図２に詳細に記載するが、矢印Ｒに示すように外部より送入の空気に純水器１１により送入の純水をノズルにより霧状に噴射して混合し加湿空気を送出する。外部よりの空気は、加熱ダクト３０の上方の開口に設けられた電動の送出ファン３３により空気が吸入され送入する。
加熱ダクト３０は、垂直に設けられ、コイル形の加熱器３１が垂直にダクト３２の中に設けられており、ノズル式の加湿器２０より送出する加湿空気をコイル形の加熱器３１により加熱し加湿加熱空気として矢印Ｋに示すように電動の送出ファン３３により送出する。そのため、簡潔容易に加湿加熱空気を高効率で効果的に送出することができる。
純水器１１は、送入管１２よりの水道水が矢印Ｆに示すように送入され純化を行なう。純水器１１により純化された純水は、ノズル式の加湿器２０に送出する。純水器１１より送出の純水の流量を流量センサ１４が検知し、制御弁１３によりノズル式の加湿器２０への流量が一定に制御される。【００１１】  次に、本発明の第１の実施形態のノズル噴霧式の加湿温風機の動作につき説明する。
ノズル式の加湿器２０は、純水器１１により純化した純水を霧化して加湿空気を生成し加熱ダクト３０に送出する。純水器１１より送出の純水の流量は流量センサ１４により検知され、制御弁１３によりノズル式の加湿器２０への流量が一定に制御される。
加熱ダクト３０は、ノズル式の加湿器２０より送出する加湿空気を加熱し電動の送出ファン３３により加湿加熱空気を外部に送出する。【００１２】  以上述べたように、本発明の第１の実施形態のノズル噴霧式の加湿温風機は、水道水を加熱することなく霧化して生成した加湿空気により加湿加熱空気を生成し送出するため、加湿した高温風の送出を環境に優しく効率的に容易に行うことができる。また、純水器１１により純化した純水を使用するため、錆の発生や不純物の付着を防止することができる。
また、ノズル式の加湿器２０は、貯留した純水より確実容易に加湿空気を送出することができる。また、純水器１１より送出の純水の流量は流量センサ１４と制御弁１３によりノズル式の加湿器２０への流量が一定に制御され、連続的に常に的確に加湿空気を送出することもできる。
さらに、加熱ダクト３０は垂直方向に設けているため、加湿した高温風を効果的に送出することができる。【００１３】  図２は、本発明の第１の実施形態のノズル噴霧式の加湿温風機に使用するノズル式の加湿器の断面図を示す。
図２に示すように、ノズル式の加湿器２０は、空気Ｈと純水Ｗとが送入する円筒形状のケース２１と、空気Ｈが送入する円錐形状の送入通路２２と、送入した空気Ｈが絞られる管状形状の絞り部２４と、送入された空気Ｈに送入された純水Ｗがノズル２５ｂにより噴射し混入する混合部２５と、空気Ｈに純水Ｗが霧状に混合した加湿空気を送出する送出通路２３とで構成されている。【００１４】  円筒形状のケース２１は、一方の側面側の円形開口部２２ａから送入された空気Ｈと外周面側から送入された純水Ｗとが送入する。
円錐形状の送入通路２２は、一方の側面側に形成された円形開口部２２ａが底面となって円筒形状のケース２１に円錐形状に形成され、空気Ｈが一方の側面側の円形開口部２２ａから送入する。
管状形状の絞り部２４は、円錐形状の送入通路２２に対し通路がオリフィス形状に絞られ、円錐形状の送入通路２２から送入した空気Ｈが流入する。
混合部２５は、純水Ｗが送入する管状形状の送入管２５ａと、外周面側と送出通路２３との間に形成され管状形状の送入管２５ａよりの純水Ｗが送入する管状形状の送入管２５ａに接続し、一方の側面側に向け斜めに筒状で先端が細穴のノズル２５ｂとが設けられ、ノズル２５ｂのオリフィス２５ｃから純水Ｗが噴出し円錐形状の送入通路２２と管状形状の絞り部２４を流動した空気Ｈと混合する。
送出通路２３は、他方の側面側に向け口径が拡大する形状をしており混合部２５により生成した気体混合の液体を他方の側面側の開口部２３ａより送出する。【００１５】  空気Ｈは、円筒形状のケース２１の円形開口部２２ａから円錐形状の送入通路２２に送入する。円錐形状の送入通路２２は円筒形状のケース２１の一方の側面側からに円錐形状に形成されているため、送入した空気Ｈは、流速が減少するが圧力は増大する。円錐形状の送入通路２２からの空気Ｈは管状形状の絞り部２４を通過し送出通路２３に送入するが、送出通路２３は他方の側面側の開口部２３ａに向け口径が拡大する形状をしており、円錐形状の送入通路２２からの空気Ｈは一気に流速が増大し側圧力が急激に降下し強力の吸引力が発生する。【００１６】  そのため、混合部２５のノズル２５ｂのオリフィス２５ｃから噴出した純水Ｗが管状形状の絞り部２４から送出した空気Ｈに強力に吸引され霧状に噴射して混合し加湿空気となり、他方の側面側の開口部２３ａより送出する。【００１７】  以上述べたごとく、ノズル式の加湿器２０は、外部より送入の空気に送入水をノズルにより霧状に噴射するため、加熱器を使用することなく加湿空気の生成を確実容易に行うことができる。
【実施例２】
【００１８】  図３は、本発明の第２の実施形態の遠心噴霧式の加湿温風機の側面図を示す。
図３に示すように、本発明の第２の実施形態の遠心噴霧式の加湿温風機２００は、貯留水を霧化し加湿空気を生成し送出する遠心式の加湿器５０と、遠心式の加湿器５０より送出の加湿空気を加熱し加湿加熱空気を送出する加熱ダクト４０と、加熱ダクト４０の上方に設けられ加湿加熱空気を加湿温風として外部に送出する電動の送出ファン４３とが設けられている。図３では、遠心式の加湿器５０と加熱ダクト４０とは断面図を示す。【００１９】  遠心式の加湿器５０は、純水器１１により純化した純水Ｗが貯留槽５１に貯留されており、多数の小穴５２ａが外周に明けられ貯留する純水Ｗの中に下方部が挿入されている円筒５２と、円筒５２と同芯で駆動モーター５３により回転駆動し内側に羽部５４ａが形成された半円球形状の回転体５４と、円筒５２と回転体５４とを覆い多数の小穴５７ａが外周に明けられたカバー５７とが設けられている。
加熱ダクト４０の上方の開口に設けられた電動の送出ファン４３により吸入口５８より矢印Ｒに示すように空気が吸入される。吸入空気は、カバー５７の外周に明けられた多数の小穴５７ａと、円筒５２の外周に明けられた小穴５２ａとを通り回転体５４により回転旋回し上方に吸引され送出するが、このとき純水Ｗが霧化され混合するため生成した加湿空気を加熱ダクト４０により加熱し加湿加熱空気を電動の送出ファン４３により送出する。そのため、簡潔容易に加湿加熱空気を高効率で送出することができる。
純水器１１は、送入管１２よりの水道水が矢印Ｆに示すように送入され純化を行なう。純水器１１により純化された純水は、遠心式の加湿器５０に送出する。遠心式の加湿器５０は、純水器１１より送出の純水Ｗを貯留し、水位センサ５５が予め定めた水位以下になったことを検知したとき制御弁１３が開き、送入管１２よりの水道水が純水器１１に送入される。純水Ｗは予め定めた水位になるまで送出が行われ、遠心式の加湿器５０の水位が一定の高さに制御される。【００２０】  加熱ダクト４０は、垂直に設けられ、コイル形の加熱器４１が垂直にダクト４２の中に設けられており、遠心式の加湿器５０より送出する加湿空気をコイル形の加熱器４１により加熱し加湿加熱空気として矢印Ｋに示すように電動の送出ファン４３により送出する。【００２１】  次に、本発明の第２の実施形態の遠心式の加湿温風機の動作につき説明する。
遠心式の加湿器５０は、純水器１１により純化した純水Ｗを貯留し、純水Ｗを霧化して加湿空気を生成し加熱ダクト４０に送出する。遠心式の加湿器５０に貯留した純水Ｗは水位センサ４５により水位を一定の高さに制御される。
加熱ダクト４０は、遠心式の加湿器５０より送出する加湿空気を加熱し電動の送出ファン４３により加湿加熱空気を外部に送出する。【００２２】  以上述べたように、本発明の第２の実施形態の遠心式の加湿温風機は、水道水を加熱することなく霧化して生成した加湿空気により加湿加熱空気を生成し送出するため、加湿した高温風の送出を環境に優しく効率的に容易に行うことができる。また、純水器１１により純化した純水を使用するため、錆の発生や不純物の付着を防止することができる。
また、遠心式の加湿器５０は、貯留した純水Ｗより確実容易に加湿空気を送出することができる。また、水位センサ５５により貯留する純水Ｗを一定に保ち、連続的に常に的確に加湿空気を送出することもできる。
さらに、加熱ダクト６０は垂直方向に設けているため、加湿した高温風を効果的に送出することができる。
【実施例３】
【００２３】  図４は、本発明の第３の実施形態の超音波式の加湿温風機の側面図を示す。
図４に示すように、本発明の第３の実施形態の超音波式の加湿温風機３００は、超音波発生器７１により加湿空気を生成し送出する超音波式の加湿器７０と、超音波式の加湿器７０より送出の加湿空気を加熱し送出する加熱ダクト６０と、加熱ダクト６０の上方に設けられ加湿加熱空気を加湿温風として外部に送出する電動の送出ファン６３とが設けられている。図４では、超音波式の加湿器７０と加熱ダクト６０とは断面図を示す。【００２４】  超音波式の加湿器７０は、純水器１１により純化した純水Ｗが水槽７２に貯留され、貯留する純水Ｗの中に設けられた超音波発生器７１により純水Ｗを霧化し、電動の送出ファン６３により吸入口７３より矢印Ｒに示すように吸入された空気に混合して加湿空気を生成し、加熱ダクト６０により加湿空気を加熱し電動の送出ファン６３により加湿加熱空気を送出する。そのため、簡潔容易に加熱した加湿空気を高効率で送出することができる。
純水器１１は、送入管１２よりの水道水が矢印Ｆに示すように送入され純化を行なう。純水器１１により純化された純水は、超音波式の加湿器７０に送出する。超音波式の加湿器７０は、純水器１１より送出の純水Ｗを貯留し、水位センサ７５が予め定めた水位以下になったことを検知したとき制御弁１３が開き、送入管１２よりの水道水が純水器１１に送入される。純水器１１では、超音波式の加湿器７０に貯留の純水Ｗが予め定めた水位になるまで送出が行われ、超音波式の加湿器７０の水位が一定の高さに制御される。【００２５】  加熱ダクト６０は、垂直に設けられ、コイル形の加熱器６１が垂直にダクト６２の内部に設けられており、超音波式の加湿器７０より送出する加湿空気をコイル形の加熱器６１により加熱し加湿加熱空気を矢印Ｋに示すように送出する。【００２６】  次に、本発明の第３の実施形態の超音波式の加湿温風機の動作につき説明する。
超音波式の加湿器７０は、純水器１１により純化した純水Ｗを貯留し、超音波発生器７１により純水Ｗを霧化し吸入の空気に混合して加湿空気を生成し加熱ダクト６０に送出する。超音波式の加湿器７０に貯留した純水Ｗは水位センサ７５により水位を一定の高さに制御される。
加熱ダクト６０は、超音波式の加湿器７０より送出する加湿空気を加熱ダクト６０により加熱し加湿加熱空気を送出する。【００２７】  また、超音波式の加湿器７０は、貯留した純水Ｗより超音波発生器７１と電動の送出ファン４６とにより効果的に加湿空気を送出することができる。また、水位センサ７５により貯留する純水Ｗを一定に保ち、連続的に常に的確に加湿空気を送出することもできる。
さらに、加熱ダクト６０は、垂直方向に設けているため、加湿した高温風を効果的に送出することができる。【００２８】  以上述べたように、本発明の第３の実施形態の超音波式の加湿温風機は、水道水を加熱することなく霧化して生成した加湿空気により加湿加熱空気を生成し送出するため、加湿した高温風の送出を環境に優しく効率的に容易に行うことができる。また、純水器１１により純化した純水を使用するため、錆の発生や不純物の付着を防止することができる。
また、超音波式の加湿器７０は、貯留した純水Ｗより確実容易に加湿空気を送出することができる。また、水位センサ７５により貯留する純水Ｗを一定に保ち、連続的に常に的確に加湿空気を送出することもできる。
さらに、加熱ダクト６０は垂直方向に設けているため、加湿した高温風を効果的に送出することができる。
【実施例４】
【００２９】  図５は、本発明の第４の実施形態の気化式の加湿温風機の側面図を示す。
図５に示すように、本発明の第４の実施形態の気化式の加湿温風機４００は、貯留水を霧化し加湿空気を生成し送出する気化式の加湿器９０と、気化式の加湿器９０より送出の加湿空気を加熱し送出する加熱ダクト８０と、加熱ダクト８０の上方に設けられ加湿加熱空気を加湿温風として外部に送出する電動の送出ファン８３が設けられている。図５では、気化式の加湿器９０と加熱ダクト８０とは断面図を示す。【００３０】  気化式の加湿器９０は、純水器１１により純化した純水Ｗが水槽９１に貯留され、水槽９１は、側面に空気取入穴９１ａが形成され、内部には円筒９２が設けられている。円筒９２は、多数の小穴９２ａが外周に明けられ貯留する純水Ｗの中に下方部が挿入され粒状の加湿エレメント９３を内装する。
加熱ダクト８０の上方向の開口に設けられた電動の送出ファン８３により空気取入穴９１ａより矢印Ｒに示すように空気が吸入される。吸入空気は、円筒９２の外周に明けられた小穴９２ａと、粒状の加湿エレメント９３の隙間を通り吸引される。
このとき、気化式の加湿器９０は、加湿エレメント９３が純水器１１よりの純水Ｗを含有しており、加湿エレメント９３に含有する純水Ｗを霧化して吸入空気に混合し加湿空気を生成し、加湿空気は加熱ダクト８０により加熱され加湿加熱空気となり電動の送出ファン８３により外部に送出するする。【００３１】  従って、気化式の加湿器９０は、粒状の加湿エレメント９３に含有する純水Ｗを霧化して吸入空気に混合し生成した加湿空気を加熱ダクト８０により加熱し送出する。そのため、環境に優しく簡潔容易に加熱した加湿空気を加湿加熱空気として高効率で送出することができる。
純水器１１は、送入管１２よりの水道水が矢印Ｆに示すように送入され純化を行なう。純水器１１により純化された純水は、気化式の加湿器９０に送出する。
気化式の加湿器９０は、純水Ｗを貯留し、水位センサ９５が予め定めた水位以下になったことを検知したとき制御弁１３が開き、送入管１２よりの水道水が純水器１１に送入される。気化式の加湿器９０に貯留の純水Ｗは予め定めた水位になるまで送出が行われ、気化式の加湿器９０の水位が一定の高さに制御される。【００３２】  加熱ダクト８０は、垂直に設けられ、コイル形の加熱器８１がダクト８２の内部に垂直に設けられており、気化式の加湿器９０より送出する加湿空気を加熱器８１により加熱し、加湿した高温風として矢印Ｋに示すように送出する。【００３３】  次に、本発明の第４の実施形態の気化式の加湿温風機の動作につき説明する。
気化式の加湿器９０は、純水器１１により純化した純水Ｗを貯留し、気化式の加湿器９０により加湿空気を生成し加熱ダクト８０に送出する。気化式の加湿器９０に貯留した純水Ｗは水位センサ９５により水位を一定の高さに制御される。
加熱ダクト８０は、気化式の加湿器８０より送出する加湿空気を加熱し加湿加熱空気を送出する。【００３４】  以上述べたように、本発明の第４の実施形態の気化式の加湿温風機は、水道水を加熱することなく霧化して生成した加湿空気により加湿加熱空気を生成し送出するため、加湿した高温風の送出を環境に優しく効率的に容易に行うことができる。また、純水器１１により純化した純水を使用するため、錆の発生や不純物の付着を防止することができる。
また、気化式の加湿器９０は、貯留した純水Ｗより確実容易に加湿空気を送出することができる。また、水位センサ９５により貯留する純水Ｗを一定に保ち、連続的に常に的確に加湿空気を送出することもできる。
さらに、加熱ダクト８０は垂直方向に設けているため、加湿した高温風を効果的に送出することができる。
【実施例５】
【００３５】  図６は、本発明の加湿温風機に使用する他の実施例の加熱ダクトの断面図を示す。
図６に示すように、加熱ダクト１３０は、垂直方向に設けられ、コイル形の加熱器１３１がダクト１３２の内部に少なくとも１個水平方向に設けられており、送入する加湿空気をコイル形の加熱器１３１により加熱し加湿加熱空気を加湿温風として矢印Ｋに示すように電動の送出ファン１３３により送出する。
そのため、加熱コイル式の加熱ダクト１３０は、加湿した高温風をより効果的に送出することができる。
【実施例６】
【００３６】  図７は、本発明の加湿温風機に使用する他の実施例のＭ型加熱コイル式の加熱ダクトの断面図を示す。
図７に示すように、Ｍ型加熱コイル式の加熱ダクト１４０は、垂直方向に設けられ、非導電材でＭ字形状に形成されたＭ字形状の円柱ベース１４５に沿ってコイル１４４が巻かれたＭ字コイル形の加熱器１４１がダクト１４２の内部に少なくとも１個垂直方向に設けられており、送入する加湿空気をＭ字コイル形の加熱器１４１により加熱し加湿加熱空気を加湿温風として矢印Ｋに示すように電動の送出ファン１４３により送出する。
そのため、Ｍ型加熱コイル式の加熱ダクト１４０は、加湿した高温風をより効果的に送出することができる。Ｍ字コイル形の加熱器１４１は水平方向に少なくとも１個設けるようにすることもできる。
なお、上記した第１〜４の実施例では純水器を使用することとしたか、状況により使用しないようにすることもできる。
【産業上の利用可能性】
【００３７】  本発明の加湿温風機は、家庭用や工場用などに使用することができるが、ビニールハウスなどにも幅広く適用することができる。
【符号の説明】
【００３８】１００  ノズル噴霧式の加湿温風機
２００  遠心噴霧式の加湿温風機
３００  超音波式の加湿温風機
４００  気化式の加湿温風機
１１  純水器
２０  ノズル式の加湿器
２４ｂ  ノズル
３０、４０、６０、８０、１３０、１４０  加熱ダクト
３１、４１、６１、８１、１３１  コイル形の加熱器
３３、４３、６３、８３、１３３、１４３  送出ファン
５０  遠心式の加湿器
７０  超音波式の加湿器
７１  超音波発生器
９０  気化式の加湿器
９３  加湿エレメント
１４１  Ｍ字コイル形の加熱器
【図１】
2016125804.tif 000003
【図２】
2016125804.tif 000004
【図３】
2016125804.tif 000005
【図４】
2016125804.tif 000006
【図５】
2016125804.tif 000007
【図６】
2016125804.tif 000008
【図７】
2016125804.tif 000009